(57)【要約】      （修正有）【課題】電気的なロック機構を有し、ラック内に設置されているサーバ等の電子機器のメンテナンスが容易に行うことが可能な電子機器用ラックを提供する。【解決手段】電子機器を内部に収納可能な電子機器用ラック１であって、内部へのアクセスを物理的に排除する筐体２と、筐体の少なくとも一面に設けられた取り外し可能な扉１５と、扉の施錠及び開錠を遠隔操作可能な電気的なロック機構とを備え、ロック機構は、筐体側の構成要素である筐体側部の電器錠本体と、扉側の構成要素である扉側部の止め金部４４との結合及び結合の解除によって扉の施錠及び開錠を行い、筐体側部のみが、扉の施錠及び開錠を可能とするための給電線ライン及び／又は信号線に接続される。【選択図】図１
0003209876.tif 000002
【実用新案登録請求の範囲】
【請求項１】
電子機器を内部に収納可能な電子機器用ラックであって、
当該ラックは、内部へのアクセスを物理的に排除する筐体と、
当該筐体の少なくとも一面に設けられた扉と、
当該扉の施錠及び開錠を遠隔操作可能な電気的なロック機構とを備え、
当該ロック機構は、筐体側の構成要素である筐体側部と、扉側の構成要素である扉側部との結合及び結合の解除によって前記扉の施錠及び開錠を行い、
前記筐体側部のみが、前記扉の施錠及び開錠を可能とするための給電線及び／又は信号線に接続されることを特徴とする電子機器用ラック。
【請求項２】
前記ロック機構は電力により前記筐体側部のフックを動作させ、前記扉側部の止め金との結合及び結合の解除を可能とする請求項１に記載の電子機器用ラック。
【請求項３】
前記ロック機構は停電時施錠型であって、
前記止め金は、前記扉部に配された錠により、前記フックとの結合を解除可能であることを特徴とする請求項２に記載の電子機器用ラック。
【請求項４】
前記ロック機構は、電磁石錠であって、電力により前記筐体側部の電磁石を機能させ、前記扉側部のストライクプレートとの結合及び結合の解除を可能とすることを特徴とする請求項１に記載の電子機器用ラック。
【請求項５】
前記電子機器用ラックは、直方体状に構成され、直方体の少なくとも一面の全域が扉であることを特徴とする請求項１乃至請求項４のうち、いずれか１に記載の電子機器用ラック。
【請求項６】
前記扉は、前記ロック機構が左右一端側に配され、左右他端側に蝶番が配されて開閉可能に構成され、
当該蝶番は、前記扉と前記筐体との連結を解除して、前記扉を前記筐体から取り外し可能に構成されることを特徴とする請求項１乃至請求項５のうち、いずれか１に記載の電子機器用ラック。
【請求項７】
前記ロック機構は、稼働状態を示す発光部を備えており、当該発光部の発光状態を前記扉に設けられた導光路を介して確認可能であることを特徴とする請求項１乃至請求項６のうち、いずれか１に記載の電子機器用ラック。
【請求項８】
前記電子機器用ラックは、キャビネットを含むことを特徴とする請求項１乃至請求項７のうち、いずれか１に記載の電子機器用ラック。
【考案の詳細な説明】
【技術分野】
【０００１】
本考案は、電子機器を内部に収納可能な電子機器用ラックに関し、特に、電気的なロック機構を有し、ラック内に設置されているサーバ等の電子機器のメンテナンスが容易に行うことが可能な電子機器用ラックに関する。
【背景技術】
【０００２】
従来、電子機器等を内部に収納するラックのセキュリティ強化のために、ラックの扉に電気錠、カードリーダ等が設置されており、これらを制御するための配線が敷設されている。
【０００３】
例えば、電気錠を設けて、電気錠からの接続用ケーブルを通電管を介して扉内部に設けて、ヒンジ側端部に連結することにより最終的に屋内側に引き出すようにした扉の構造が知られている。
【０００４】
しかしながら、ドアの開閉時に局部衝撃や、振動などが通電管に加わって接続ケーブルに影響を及ぼす恐れがあるため、衝撃や、振動などを抑制できるようにした扉の構造が特許文献１に開示されている。
【０００５】
特許文献１によれば、扉は、外形を構成する縦長の枠体と、枠体の表裏に張設される表面材と、枠体の内側の一側部に配置された電気錠と、枠体の外側部の上下２箇所に配置された１対のヒンジと、一端を電気錠に連結され、他端を枠体の他側部における上部側ヒンジの近傍に連結された通電管と、一端を電気錠に接続され、通電管内に挿通され、かつ枠体の他側部より外部に引出された複数の接続用ケーブルとを備えている。この接続用ケーブルの他端側は、屋内側に引込まれ、電源などに接続している。
【０００６】
また、特許文献１によれば、枠体の内部に配置された芯材と同一高さのシート材を略ジグザグ状に伸縮自在に形成し、略ジグザグ状の各片に設けられた保持孔に通電管を挿通した状態で、枠体の内部に配置することにより、通電管に加わる局部衝撃や、振動などの抑制が行われる。
【０００７】
また、特許文献２には、電子錠を開閉するための開閉情報を記憶したカードキーから開閉情報を読み取るＩＣリーダーを扉の裏面に配置する機器保管用ラックが開示されている。
【先行技術文献】
【特許文献】
【０００８】
【特許文献１】特開２００９−１８５４６３号公報
【特許文献２】特開２００２−２９５０８３号公報
【考案の概要】
【考案が解決しようとする課題】
【０００９】
サーバ等の電子機器を収納するラックは、ラックの両側面にラックを連結した構成を成し、複数のラックが列となるように設置されている。また、ラックの列は、複数の列で構成されている場合には、ラックは架列を成している。
【００１０】
図８は、ラックが連結されて複数列配置されたラック架列の構成を示す平面図である。図８に示すように、ラック架列８０とラック架列８５とは、向かい合わせに配置されており、ラック７０のそれぞれの前面及び／又は背面には、扉７５が設置されている。ラック架列８０とラック架列８５との間には、通路９０が形成されている。
【００１１】
ラック架列８０とラック架列８５の間の通路９０の幅Ｄは、通常、１２００ｍｍ以上を有することが求められている。そこで、ラック７０に収納されたサーバ等の電子機器を設置、メンテナンス、修理、交換等で扉を開いて作業が行われる際、ラック７０の扉７５の幅が６００ｍｍを超えるものは、扉７５を直角近くまで開くことにより、通路９０の幅の半分以上を塞ぐことになる。このため、ラック７０の扉７５を開けて作業を行うと、扉７５が通路側に位置して、通路９０を塞いで作業性が悪かった。
【００１２】
また、ラック７０の前面及び背面に扉７５を有している場合には、対面する隣のラック架列の扉７５が接触する恐れもある。
【００１３】
例えば、サーバ等の電子機器の大規模導入時においては、多数の空のラック７０内に、多数の電子機器を設置することとなるが、ラック７０の扉７５が邪魔となり、作業効率が悪かった。
【００１４】
また、メンテナンス等の作業のために、隣り合うラック７０に収納されたサーバ等の電子機器間で、一時的にケーブルを敷設する必要が発生した際には、ラック７０の前面及び／又は背面の扉のある面を介してケーブルを敷設するため、扉７５が邪魔となり、作業効率が悪かった。
【００１５】
このため、サーバ等の電子機器の新規導入時や、メンテナンス等の作業性を向上させるために、ラックの扉が作業の邪魔にならないようにすることが求められている。
【００１６】
作業時に、ラックの扉を外すことによって、扉が通路上を塞ぐことをなくすことができる。しかしながら、従来の電気的なロック機構を有するラックの扉では、特許文献１に示すように、電気錠の開閉動作、開閉状態表示のための給電用の配線が設けられている。また、特許文献２に示すように、ラックの入室管理用カードリーダ等が扉に設置されており、扉には給電、制御用の配線が設けられている。このため、ラックの扉の配線も外す必要があり、作業性が悪かった。
【００１７】
また、扉毎に各ラックを管理するためのＩＤ信号を発する機器が設けられている場合には、扉を外した後に、所定のラックに所定の扉を取り付ける必要がある。このため、扉を外した後の扉の管理も重要となる。
【００１８】
そこで本考案は、扉の施錠及び開錠を遠隔操作可能な電気的なロック機構とを備え、ロック機構は、筐体側部と扉側部の結合及び結合の解除によって扉の施錠及び開錠を行い、筐体側部のみが、扉の施錠及び開錠動作のための給電線及び／又は信号線に接続し、さらに、扉を筐体から容易に外すことができるようにして、メンテナンス等の作業性を向上させることが可能な電子機器用ラックを提供することを目的とする。
【課題を解決するための手段】
【００１９】
上記目的達成のため、本考案は、電子機器を内部に収納可能な電子機器用ラックであって、当該ラックは、内部へのアクセスを物理的に排除する筐体と、当該筐体の少なくとも一面に設けられた扉と、当該扉の施錠及び開錠を遠隔操作可能な電気的なロック機構とを備え、当該ロック機構は、筐体側の構成要素である筐体側部と、扉側の構成要素である扉側部との結合及び結合の解除によって前記扉の施錠及び開錠を行い、前記筐体側部のみが、前記扉の施錠及び開錠を可能とするための給電線及び／又は信号線に接続されることを特徴とする。
【００２０】
また、本考案の前記ロック機構は電力により前記筐体側部のフックを動作させ、前記扉側部の止め金との結合及び結合の解除を可能とすることを特徴とする。
【００２１】
また、本考案の前記ロック機構は停電時施錠型であって、前記止め金は、前記扉部に配された錠により、前記フックとの結合を解除可能であることを特徴とする。
【００２２】
また、本考案の前記ロック機構は、電磁石錠であって、電力により前記筐体側部の電磁石を機能させ、前記扉側部のストライクプレートとの結合及び結合の解除を可能とする。
【００２３】
また、本考案の前記電子機器用ラックは、直方体状に構成され、直方体の少なくとも一面の全域が扉であることを特徴とする。
【００２４】
また、本考案の前記扉は、前記ロック機構が左右一端側に配され、左右他端側に蝶番が配されて開閉可能に構成され、当該蝶番は、前記扉と前記筐体との連結を解除して、前記扉を前記筐体から取り外し可能に構成されることを特徴とする。
【００２５】
また、本考案の前記ロック機構は、稼働状態を示す発光部を備えており、当該発光部の発光状態を前記扉に設けられた導光路を介して確認可能であることを特徴とする。
【００２６】
また、本考案の前記電子機器用ラックは、キャビネットを含むことを特徴とする。
【考案の効果】
【００２７】
本考案の電子機器用ラックによれば、電気的なロック機構の筐体側部のみが、扉の施錠及び開錠動作のための給電線及び／又は信号線に接続されるため、扉内の配線が不要となり、さらに、扉に配線が無いため、メンテナンス等でラック（キャビネット）から扉を容易に取り外すことができる。
【００２８】
また、止め金は、扉部に配された錠により、扉の外部から電気的なロック機構のフックとの結合の解除が可能である。例えば、セキュリティ強化のために停電時に電気的なロック機構により扉が施錠される場合でも、錠により、扉の解錠ができるため、非常時でもラック内の電子機器に対して対応可能である。
【００２９】
また、本考案によれば、扉は、ロック機構が左右一端側に配され、左右他端側に蝶番が配されて開閉可能に構成され、蝶番は、扉と筐体との連結を解除して、扉を筐体から取り外し可能に構成されるため、電子機器用ラック内の電子機器のメンテナンス、工事等の作業性を向上させることができる。
【００３０】
また、本考案によれば、多数のラックに対する電子機器の大規模導入や、大規模メンテナンス時において、作業対象となる多数のラックから一括して扉を外して、作業スペース外にまとめて扉を置いておくことが可能であり、扉が邪魔となることがなく、作業性が向上する。
【００３１】
また、本考案によれば、電気的なロック機構は、電磁石錠であって、電力により筐体側部の電磁石を機能させ、扉側部のストライクプレートとの結合及び結合の解除が可能であるため、可動部分を有していないことにより、ロック機構のメンテナンスが容易となる。
【００３２】
また、本考案によれば、電気的なロック機構に電磁石錠を用いることにより、機械機構が無いため、ロック機構の外部からの見分けができないため、ドアが破壊されてラック内に侵入される恐れが少なくなる。
【図面の簡単な説明】
【００３３】
【図１】本考案に係る電子機器用ラックの構成を示す斜視図であり、（ａ）は、筐体に扉を設けたものであり、（ｂ）は、（ａ）に示す筐体の枠体を示す。
【図２】本考案に係る電子機器用ラックの扉を設けた面を示す正面図である。
【図３】図２に点線で示す円内Ａの拡大図であり、電子機器用ラックにおける筐体の一面に設けられた扉の構成を示す。
【図４】図３に示すＢ−Ｂ線沿う断面図であり、電子機器用ラックにおける扉取手側枠及び扉に設置した電気錠を示す。
【図５】電子機器用ラックの筐体に取り付けた電気錠本体を示す側面図である。
【図６】電子機器用ラックにおける扉の室内側主面部に設けられた蝶番の構成を示す図である。
【図７】電子機器用ラックにおけるロック機構に電磁石を用いた構成を示す斜視図である。
【図８】ラックが連結されて複数列配置されたラック架列の構成を示す平面図である。
【考案を実施するための形態】
【００３４】
以下に、図面を参照して、本考案による電子機器用ラックを実施するための形態について図１乃至図６を用いて説明する。尚、本考案に係る電子機器用ラックは、扉の施錠及び開錠を遠隔操作可能な電気的なロック機構とを備え、ロック機構は、筐体側部と扉側部の結合及び結合の解除によって扉の施錠及び開錠を行い、筐体側部のみが、前記扉の施錠及び開錠を可能とするための給電線及び／又は信号線に接続し、これにより、扉を筐体から容易に外すことができるようにしたものである。
【００３５】
［第１の実施形態］
［電子機器用ラックの構成］
図１は、本考案に係る電子機器用ラックの構成を示す斜視図であり、（ａ）は、筐体に扉を設けたものであり、（ｂ）は、（ａ）に示す筐体の枠体を示す。
【００３６】
図１（ａ）に示すように、電子機器用ラック１は、直方体を形成する筐体２で構成されおり、直方体を成す筐体２の少なくとも一面に扉１５を設けたものであり、本実施の形態においては、扉１５を正面とすると、対向する背面側にも同様に扉１５が設けられている。
【００３７】
また、図１（ｂ）に示すように、筐体２は、直方体の（枠）各辺を形成する枠体３を有している。  筐体２（図１（ａ））を構成する枠体３（図１（ｂ））の四辺を囲む空間を塞ぐように、枠体に板状体の壁面を取り付けられている（図１（ａ））。
【００３８】
図１（ａ）に示すように、筐体２を構成する枠体の四辺を囲む面に、上下に互いに対向する面に設けられた天板１０及び底板１１と、互いに対向する面に設けられた側板１２と、互いに対向する面に設けられた扉１５とを備えている。
【００３９】
これにより、電子機器用ラック１は、６面の全ての面が、板及び扉１５が配置されているため、外部からラック内部へのアクセスが物理的にできない構造となっている。
【００４０】
また、電子機器用ラックに収納する電子機器のケーブルを床下空間を通して敷設している場合には、底板１１等の床板を設けなくてもよい。
【００４１】
尚、本発明の電子機器用ラック１は、枠体３に板状体の壁面を取り付けたラック及び箱状の形状を成すキャビネットを含むものである。
【００４２】
また、扉１５の設置は、対向する面に限らず、例えば、筐体２の１つの面に設けるようにしてもよい。このように、扉１５は、筐体２の少なくとも１つの面に設けるようにようにする。
【００４３】
図１（ｂ）に示すように、電子機器用ラック１の枠体３における扉１５を有する扉用枠体４は、上枠５、下枠６、扉取手側枠７、扉蝶番側枠８とからなる。
【００４４】
また、図１（ａ）に示す電子機器用ラック１における図１（ｂ）に示す扉用枠体４の扉取手側枠７の扉側端面には、扉１５に設けられたハンドル装置の開閉用ハンドルの回転に連動して、回転する係止片３２（図３に示す）を受ける受穴３５（図３に示す）が設けられている。
【００４５】
［電気錠によるロック機構］
電気錠によるロック機構を図１及び図２に、図３乃至図５を加えて説明する。図３は、図２に点線で示す円内Ａの拡大図であり、電子機器用ラックにおける筐体の一面に設けられた扉の構成を示す。図４は、図３に示すＢ−Ｂ線沿う断面図であり、電子機器用ラックにおける扉取手側枠及び扉に設置した電気錠を示す。図５は、電子機器用ラックの筐体に取り付けた電気錠本体を示す側面図である。
【００４６】
枠体の扉取手側枠７の扉側端面の高さ方向の中央付近には、ロック機構３７を構成する電気錠本体３８が設けられている。筐体側に設けられた筐体側部としての電気錠本体３８は、枠端面に取り付け可能であり、電気錠本体３８の先端部が、扉１５側に位置している。
【００４７】
電気錠本体３８は、ソレノイドが内蔵されており外部からの電源のＯＮ−ＯＦＦによって、電気錠本体３８の先端部に設けられたフック３９が可動状態-固定状態となる。
【００４８】
例えば、電源をＯＮすることにより通電状態となって、フック３９が可動状態となり、フック３９は扉１５を開ける力等の外力により、常に上下に自在に移動可能となり、移動後の位置状態を外力が加わるまで維持する。また、電源をＯＦＦすることにより非導通状態となって、フック３９は固定状態となり、フック３９は定位置で動かなくなりその状態を維持する。このため、停電時等の異常状態では、フック３９は定位置のまま固定状態となる。
【００４９】
また、電気錠本体３８には、通電状態を表示するＬＥＤからなる発光部４０を内蔵している。電気錠本体３８に設けられたＬＥＤは、通電時に点灯する。例えば、緑色に発光する。即ち、通電時に電気錠本体３８に内蔵した発光部４０のＬＥＤが点灯して、ソレノイドが作動してフック３９が可動状態となり、解錠される。また、発光部４０のＬＥＤが消灯中は、非通電状態であり、フック３９が定位置で固定された状態である。このとき、フック３９の爪と止め金４５が結合して、扉１５が施錠されている。
【００５０】
また、電気錠本体３８には、扉１５の止め金４５が当接したことを検出するトリガースイッチ４１が内蔵されており、さらに、フック３９が止め金部４４（図４に示す）の止め金４５と結合可能位置で固定されているかの状態をチェックする導通チェック機能を有している。これらトリガースイッチ４１、導通チェック機能を使用して、扉１５が開いていてロック不可能な状態か、閉じてロック可能な状態かを確認することができる。
【００５１】
例えば、扉１５のロックを行った際、扉が完全に閉まっておらず、扉自体がロック不可能な位置にある異常状態を、赤色に発光する他の単独設置のLＥＤにより表示ことも可能である。また、この信号を遠隔制御装置に扉の開閉状態信号として出力するようにしてもよい。これにより、扉１５の開閉状態を遠隔制御装置で確認することができ、異常時には、アラーム等で異常を告知することも可能である。
【００５２】
尚、扉を電源のＯＮ−ＯＦＦによって施錠、解錠するロック機構３７は、電気錠本体３８と止め金部４４とで構成されている。
【００５３】
また、電子機器用ラック１における枠体の上枠５及び下枠６の扉１５の蝶番付近の端面には、扉１５の蝶番５０のガイド軸５１（図６に示す）を取り付けるための蝶番取付穴９（図１（ｂ）に示す）が設けられている。
【００５４】
［電子機器用ラックの扉の構成］
次に、図１（ａ）図２及び図３を用いて、電子機器用ラックに設けられた扉について説明する。
図１（ａ）及び図２に示すように、扉１５は、室外側主面部１７と室内側主面部１８と扉取手側端面１９、扉蝶番側端面２０と上枠側端面２１と下枠側端面２２とを備えている。
【００５５】
また、扉１５は、外部からラック内部を目視で確認できるガラス板、透明なアクリル板から成る透過部２３（図１及び図２にハッチングで示す）を有している。尚、扉１５の透過部２３は、ガラス板、透明なアクリル板に限らず、他の部材、例えば、金属に穴開け加工したパンチングメタルであってもよい。
【００５６】
図３に示すように、扉１５の室外側主面部１７及び室内側主面部１８には、扉１５を外部から開閉するためのハンドル装置３０が設けられている。
【００５７】
図３に示すように、ハンドル装置３０は、扉１５の端部である扉取手側端面１９付近の位置に配置されている。ハンドル装置３０は施錠状態においてはハンドル本体内に収納されている取手３１を備えており、ハンドル本体の下部に位置するボタン３３を押すことにより、取手３１が上部の回転軸３４を支点として手前に飛び出してくる。
【００５８】
また、図３に示すように、扉１５の室内側主面部１８には、ハンドル装置３０の取手３１と同軸に取付けられている係止片３２が設けられている。係止片３２は、長方形の形状を成し、長手方向の端面付近に取手３１と同じ回転軸３４の先端に取り付けられている。また、係止片３２の長手方向の他の端面は、扉１５の室内側主面部１８と平行を保ちながら回転移動する。係止片３２は、回転することにより扉用枠体４の扉取手側枠７の扉側端面に設けられた受穴３５に挿入されて、扉１５が固定される。
【００５９】
また、扉１５を開く際には、ハンドル装置３０の飛び出した取手３１を９０度回転させると、取手３１と同軸に取付けられている係止片３２が回転して受穴３５から外れ、扉１５を開くことができる。
【００６０】
また、図３及び図４に示すように、扉１５の室内側主面部１８には、ロック機構３７の電気錠本体３８のフック３９と係合する扉側部としての止め金部４４が設けられている。止め金部４４は、扉１５を閉じた状態でロック機構３７の電気錠本体３８のフック３９と係合可能な位置に取り付けられている。また、止め金部４４はシリンダー錠４６を備えている。止め金部４４におけるシリンダー錠４６の軸の表面には、軸を介して止め金４５が固定させている。止め金４５は、長手方向が室内側主面部１８と平行となるように軸に固定されている。
【００６１】
また、止め金部４４の止め金４５を固定した軸の他端が扉１５に設けられた貫通孔を通って、扉１５の室外側主面部１７に露出している。室外側主面部１７に位置する軸の端面には、鍵穴４７（図３に示す）が設けられており、鍵を鍵穴に挿入して鍵を回転させることにより軸も回転して、軸の先端の止め金４５も回転する。
【００６２】
ロック機構３７は、許可無き第三者がラック内部の機器に触れることを防止するためのものであり、セキュリティを確保の目的で、設けられている。しかしながら、停電時には、電気錠本体３８のフック３９と止め金４５とが係合して、扉１５がロック状態となり、扉１５を開くための通電が行えないために、解錠することができない。
【００６３】
このため、止め金部４４のシリンダー錠４６によって解錠を行うようにする。例えば、止め金４５の長手方向が水平状態の位置で、止め金４５を固定する軸側の端から延びる止め金４５の先端の位置を時計板の９時方向とする。解錠は、鍵を用いてシリンダー錠４６の軸を反時計方向に９０度回転させる。これにより、軸の先端に固定された止め金４５も反時計方向に９０度回転する。止め金４５の先端の位置が回転により時計板の６時方向となる。このため、電気錠本体３８のフック３９と止め金４５との結合が解除されて、扉１５を開けることが可能となる。
【００６４】
尚、電気錠本体３８のフック３９と止め金４５との結合の解除は、シリンダー錠４６に限らず、結合か解除でできるものであればよく、他のものであってもよい。
【００６５】
また、図３に示すロック機構３７の電気錠本体３８には、通電等の稼働状態を示す発光部４０を備えており、図５に示すように、外部から発光部４０の発光状態を確認が行えるように、扉１５に導光路４８が設けられている。導光路４８は、電気錠本体３８の発光部４０の表面が、扉１５に相対する位置に設けられている。
【００６６】
導光路４８は、室外側主面部１７と室内側主面部１８とを貫通した開孔部を有し、開孔部に光ファイバーが挿入されて形成されている。
【００６７】
尚、導光路４８は、光ファイバーに限らず、導光プラスチック、穴、スリット等であってもよい。
このように、ロック機構３７は、電気錠本体３８の通電状態を示す発光部４０を備えており、発光部４０の発光状態を扉１５に設けられた導光路４８を介して、扉１５の施錠状態を外部から確認することが可能である。
【００６８】
［扉に設けられた蝶番の構成］
図１に図６を加えて、扉に設けられた蝶番の構成について説明する。図６は、電子機器用ラックにおける扉の室内側主面部に設けられた蝶番の構成を示す図である。
【００６９】
図１（ａ）に示すように、扉１５の室内側主面部１８には、扉１５を筐体２に取り付けるための蝶番５０が設けられている。図１（ａ）及び図６に示すように、蝶番５０は、扉蝶番側端面２０と上枠側端面２１とのコーナー付近と扉蝶番側端面２０と下枠側端面２２とのコーナー付近にそれぞれ設けられている。尚、それぞれの蝶番５０は、同一構成であるため、扉蝶番側端面２０と上  枠側端面２１とのコーナー付近に設けられている蝶番について説明する。
【００７０】
図６に示すように、蝶番５０は、ガイド軸５１と、リング５２と、Ｌ字金具５３と、操作棒５４と、コイル状のバネ５５とバネ受け金具５６で構成されている。蝶番５０のガイド軸５１は、先端が略円錐形状を成し、円柱の長手方向が扉蝶番側端面２０と平行を成すように設けられている。ガイド軸５１は、上枠側端面２１の表面に位置するリング５２と上枠側端面２１の穴と、Ｌ字金具５３の穴と、バネ受け金具５６の穴とを貫通して、取り付けられている。Ｌ字金具５３のバネ受け金具５６側に位置する面には操作棒５４が位置している。
【００７１】
操作棒５４は、ガイド軸５１の円柱に取り付けられており、ガイド軸５１の長手方向に対して略直角になるように設けられている。これにより、操作棒５４を上下方向に移動することにより、ガイド軸５１が連動して上下移動する。また、ガイド軸５１の操作棒５４とバネ受け金具５６間との間には、コイル状のバネ５５が取り付けられている。コイル状のバネ５５により操作棒５４が常時押し上げられることにより、ガイド軸５１の先端部がリング５２から突出した状態を維持する。
【００７２】
操作棒５４を用いて、蝶番５０のガイド軸５１の先端部を筐体２の上枠５の蝶番取付穴９に差し込むことにより、扉１５を回動可能に筐体２に取り付けることができる。
【００７３】
また、操作棒５４を矢印で示す下側方向に移動することにより、ガイド軸５１が連動して下側方向に移動する。これにより、ガイド軸５１の先端部が、リング５２表面以下に位置することにより、扉１５を筐体２の上枠５の蝶番取付穴９から取り外すことができる。
【００７４】
また、本考案に係る電子機器用ラックにおいては、扉１５は、ロック機構３７が左右一端側に配され、左右他端側に蝶番５０が配されて開閉可能に構成されており、蝶番５０は、扉１５と筐体２との連結を解除して、扉１５を筐体２から取り外し可能に構成されている。これにより、電子機器用ラック１内の電子機器のメンテナンス、工事等の作業性を向上することができる。
【００７５】
［ラック内部の給電ライン］
電子機器用ラック１の内部には電気錠本体３８に電源を供給する給電ラインが設けられている。給電ラインは、筐体２の側板１２の扉用枠体４に沿って、例えば、底板１１まで設置し、ラック架の電源制御装置に接続されている。また、電気錠本体３８から出力される信号も給電ラインと同一のケーブル４２（図５に示す）で電源制御装置に入力するように敷設されている。
【００７６】
電子機器用ラック１は架列を成しており、各ラックは、電気錠に電源を供給する電源制御装置に接続されている。また、各ラックの電気錠から出力されるドアの開閉状態信号を電源制御装置に入力する。電源制御装置は、遠隔制御装置であるコンピュータに接続されている。遠隔制御装置は、架列を成す個々の電子機器用ラック１の電気錠を制御することが可能であり、また、電気錠から出力されるドアの開閉状態信号を表示することができる。
【００７７】
［電子機器用ラックの管理］
以下に、電子機器用ラックの管理について説明する。尚、扉は開いた状態とする。メンテナンス等の作業終了後にラック内の確認を行って、扉１５を閉める。その後、扉１５のハンドル装置３０を操作して、係止片３２が受穴３５に挿入されるように、ハンドル装置３０の取手３１を閉状態の位置まで回転させる。その後、取手３１をハンドル装置３０に収納するように押し込む。これにより扉１５が閉じられて、筐体２に固定される。この時、電子錠本体３８は扉が閉まった状態の信号を出力する。
【００７８】
その後、管理者は、遠隔制御装置から遠隔操作により電子機器用ラック１のドアの状態を確認後のロック機構３７の電気錠本体３８の電源を遮断するようにする。遠隔制御装置は、電源制御装置に電気錠本体３８の電源を遮断する信号を出力する。また、遠隔制御装置に表示される電気錠から出力された扉が閉まっている旨の電気錠本体のロック作業終了信号を確認することにより、管理者は、扉１５が施錠されたかを確認する。
【００７９】
また、遠隔制御装置は、扉の開閉とロック状態信号をチェックして、異常が発生したときには、アラームで異常状態を管理者に通知するようにする。
【００８０】
［電子機器用ラックの扉の取り外し］
次に、電子機器用ラックのメンテナンス等により扉を外す場合の手順について説明する。最初に、管理者は、遠隔制御装置から該当する電子機器用ラック１の電気錠の通電を行うように操作する。遠隔制御装置から電源制御装置に制御の信号が出力されて、電源制御装置により電気錠本体３８の通電が行われる。これにより、電気錠のフック３９が自在移動可能（可動可能）となり、解錠される。このとき、電気錠の発光部４０が点灯する。作業者は、外部から扉１５の導光路４８から発光部４０のＬＥＤが点灯していることを確認することにより、扉の開放の可否を確認出来る。
【００８１】
作業者は、発光部４０のＬＥＤの点灯を確認して、ハンドル装置３０の取手３１を操作して、扉１５を開く。その後、扉１５を外すようにする。扉１５を外す作業は、最初に上部の蝶番５０の操作棒５４を下側に押し下げて、ガイド軸５１の先端をリング５２表面まで移動するようにする。このとき、枠体の上枠５の蝶番取付穴９からガイド軸５１が外れるように扉１５を外す方向に傾ける。次に、下部の蝶番５０の操作棒５４を上側に押し上げて、ガイド軸５１の先端をリング５２表面まで移動するようにする。枠体の下枠６の蝶番取付穴９からガイド軸５１が外れるようにして扉１５を外す。
【００８２】
このとき、扉１５には、配線が無いため、容易にラックから取り出せる。外した扉１５をラックの外に運び出すようにする。その後、メンテナンス作業を行う。
【００８３】
メンテナンス作業の終了後に、扉１５をラックの開口部分に運び、扉１５を取り付ける、扉１５の取付は、扉１５の下部に位置する蝶番５０のガイド軸５１を枠体の下枠６の蝶番取付穴９に取り付ける。その後、上部の蝶番５０の操作棒５４を下側に押し下げて、ガイド軸５１の先端をリング５２表面まで移動するようにする。このとき、枠体の上枠５の蝶番取付穴９にガイド軸５１を取り付ける。
【００８４】
尚、扉１５の取付は、最初に、枠体の上枠５の蝶番取付穴９にガイド軸５１を取り付けて、その後、扉１５の下部に位置する蝶番５０のガイド軸５１を枠体の下枠６の蝶番取付穴９に取り付けてもよい。
【００８５】
ラック内の確認後に、扉１５を閉める。その後、扉１５のハンドル装置３０を操作して、係止片３２が受穴３５に挿入されるように、ハンドル装置３０の取手３１を閉じ状態の位置まで回転させる。その後、取手３１をハンドル装置３０に収納するように押し込む。これにより扉１５が閉じられて、筐体２に固定される。
【００８６】
その後、管理者は、遠隔制御装置から遠隔操作により電子機器用ラック１のロック機構３７の電気錠本体３８の電源を遮断するようにする。遠隔制御装置は、電源制御装置に電気錠本体３８の電源を遮断する信号を出力する。また、遠隔制御装置に表示される電気錠から出力される扉の開閉とロック状態信号確認して、管理者は、扉１５が異常なく施錠されたかを確認する。
【００８７】
以上述べたように、本考案によれば、電気的なロック機構の筐体側部のみが、扉の施錠及び開錠動作のための給電線及び／又は信号線に接続されるため、扉内の配線が不要となり、さらに、扉に配線が無いため、メンテナンス等でラック（キャビネット）から扉を容易に取り外すことができる。
【００８８】
また、止め金は、扉部に配されたシリンダー錠により、扉の外部から回転可能に構成されているため、電気的なロック機構のフックとの結合の解除が可能である。例えば、セキュリティ強化のため停電時に電気的なロック機構により扉が施錠される場合でも、物理錠により、扉の解錠ができるため、非常時でもラック内の電子機器に対して対応可能である。
【００８９】
また、本考案によれば、扉は、ロック機構が左右一端側に配され、左右他端側に蝶番が配されて開閉可能に構成され、蝶番は、扉と筐体との連結を解除して、扉を筐体から取り外し可能に構成されるため、電子機器用ラック内の電子機器のメンテナンス、工事等の作業性を向上することができる。
【００９０】
また、本考案によれば、多数のラックに対する電子機器の大規模導入や、大規模メンテナンス時において、作業対象となる多数のラックから一括して扉を外して、作業スペース外にまとめて扉を置いておくことが可能であり、扉が邪魔となることがなく、作業性が向上する。
【００９１】
［第２の実施形態］
［電磁石錠によるロック機構］
以下に、本考案による電子機器用ラックにおけるロック機構の第２の実施形態について図７を用いて説明する。尚、第２の実施形態のロック機構は、電磁石錠であって、電力により筐体側部の電磁石を機能させ、扉１５側のストライクプレート６４との結合及び結合の解除を可能とするものである。図７は、電子機器用ラック６０におけるロック機構６２に電磁石を用いた構成を示す斜視図である。尚、図７に示す電子機器用ラック６０は、ロック機構６２以外は図１に示す電子機器用ラック１と同一構成であるため、説明は省略する。
【００９２】
図７に示す電子機器用ラック６０におけるロック機構は、電磁石錠６２を扉取手側枠７の上下中央部に使用して、筐体側部に電磁石６３を配するようにする。電磁石６３に通電することにより、電磁力が発生し、鉄等の部材で形成された扉１５を吸着して、扉１５をロックすることが可能となる。また、電磁石６３に非通電状態にすることにより、電磁力が消滅して、筐体２と扉１５とのロックを解除することができる。
【００９３】
また、電磁石６３に結合しない部材を使用した扉１５には、電磁石６３と接面する扉取手側端面１９にストライクプレート６４としての鉄等から成る部材を取り付けるようにする。
【００９４】
フック３９と止め金との結合によるロック機構３７では、外部からシリンダー錠を不正に操作されて解錠される恐れがある。また、レバーがスライドしてロックする機構では、外部からレバーを破壊される恐れがある。
【００９５】
しかしながら、本考案にようロック機構に電磁石錠６２を用いることにより、機械機構が無いため、ロック機構６２の外部からの見分けができないため、ドアが破壊されてラック内に侵入される恐れが少なくなる。
【００９６】
また、本考案によれば、電気的なロック機構は、電磁石錠であって、電力により筐体側部の電磁石を機能させ、扉側部のストライクプレートとの結合及び結合の解除が可能であるため、可動部分を有していないことにより、ロック機構のメンテナンスが容易となる。
【００９７】
この考案は、その本質的特性から逸脱することなく数多くの形式のものとして具体化することができる。よって、上述した実施形態は専ら説明上のものであり、本考案を制限するものではないことは言うまでもない。
【符号の説明】
【００９８】
１、６０    電子機器用ラック（キャビネット）
２    筐体
３    枠体
４    扉用枠体
５    上枠
６    下枠
７    扉取手側枠
８    扉蝶番側枠
９    蝶番取付穴
１０  天板
１１  底板
１２  側板
１５  扉
１７  室外側主面部
１８  室内側主面部
１９  扉取手側端面
２０  扉蝶番側端面
２１  上枠側端面
２２  下枠側端面
２３  透過部
３０  ハンドル装置
３１  ハンドル（取手）
３２  係止片
３３  ボタン
３４  回転軸
３５  受穴
３７  ロック機構（電気錠）
３８  電気錠本体（筐体側部）
３９  フック
４０  発光部 
４１  トリガースイッチ
４２  ケーブル
４４  止め金部（扉側部）
４５  止め金
４６  シリンダー錠
４７  鍵穴
４８  導光路
５０  蝶番
５１  ガイド軸
５２  リング
５３  Ｌ字金具
５４  操作棒
５５  コイル状のバネ
５６  バネ受け金具
６２  電磁石錠（ロック機構）
６３  電磁石（筐体側部）
６４  ストライクプレート（扉側部）
７０  ラック
７５  扉
８０、８５  ラック架列
９０  通路
【図１】
0003209876.tif 000003
【図２】
0003209876.tif 000004
【図３】
0003209876.tif 000005
【図４】
0003209876.tif 000006
【図５】
0003209876.tif 000007
【図６】
0003209876.tif 000008
【図７】
0003209876.tif 000009
【図８】
0003209876.tif 000010